Podtech/llm-jp-corpus-v4-ja_patent huggingface dataset:
(57)【要約】【課題】６，６’−ジブロモインジゴ及びその混合物を用いての染色において、光の影響による染色液の劣化、並びに製品の青色化を防止するための調整、保管と染物製造方法。【解決手段】６，６’−ジブロモインジゴ及びその混合物を用いての染色において、３００ｎｍから５００ｎｍの波長の光を遮光した状態下で調整、保管そして染物製造を行う事で達せられる。【特許請求の範囲】
【請求項１】
６，６’−ジブロモインジゴ及びその混合物の建染染色において、３００ｎｍから５００ｎｍの波長の光を遮光した状態下で調整、保管を行う染色液製造、保管方法。
【請求項２】
６，６’−ジブロモインジゴ及びその混合物の建染染色において、３００ｎｍから５００ｎｍの波長の光を遮光した状態下で染色を行う染物製造方法。
【発明の詳細な説明】
【技術分野】
【０００１】本発明は６，６’−ジブロモインジゴ（別名：チリアンパープル、貝紫、古代紫、帝王紫）の染色において、染色液の調整方法、及び染物製造法に関する。
【背景技術】
【０００２】建染染料である６，６’−ジブロモインジゴを用いた赤紫色染色は以前より行われているが、還元しロイコ体にして染色液とした際、光による劣化が早く、染物が青色に染色されることがある。また、染色後に酸化して発色させる際、青色色調が加わることもある。【０００３】６，６’−ジブロモインジゴはある種の巻貝（イボニシ貝、アカニシ貝、他）のチリアン腺に前駆体として含まれており、この前駆体を日光照射で酸化させ６，６’−ジブロモインジゴを含む混合物として得られる。若しくは幾つかの既知方法にて合成し６，６’−ジブロモインジゴを得ることが出来る。
【発明の開示】
【発明が解決しようとする課題】
【０００４】６，６’−ジブロモインジゴ及びその混合物の建染染色において、染色液の劣化を防止し、染物の色調変化を防ぐための染色液製造方法及び染物製造方法の提供にある。
【課題を解決するための手段】
【０００５】
【化１】
2008138151.tif 000002
【０００５】式中（１）は赤紫色色素６，６’−ジブロモインジゴであり、これを適当な還元剤を用いる事で式中（２）で示される還元体（ロイコ体）を得る事ができる。この還元体を布に浸漬させ空気酸化等による酸化で染色を行うことができる。【０００６】
【化２】
2008138151.tif 000003
【０００７】この式中（２）の還元体は光照射を受ける事で脱臭素化し、式中（３）のインジゴ還元体となりそれを酸化することで青色色素の式中（４）のインジゴとなることが知られている。【０００８】６，６’−ジブロモインジゴ及びその混合物を用いた染色液の調整、保管、及びそれを用いた染色、酸化による発色時に遮光環境下で行うことにより、染色液の光劣化、染物の色調変化を防ぐことである。
【発明の効果】
【０００９】本発明は、６，６’−ジブロモインジゴ及びその混合物を用いた建染染色において染色液を安定的に製造、保管でき、染物の色調変化を防ぐことにより安定的に染物製品を容易に得ることを可能とする。
【発明を実施するための最良の形態】
【００１０】本発明者らは鋭意研究の結果、６，６’−ジブロモインジゴ及びその混合物を還元しロイコ体にして染色液を調整し保管する際、その染色液を使用し酸化による発色させる際、ある特定の波長により光劣化を生じ、その波長を遮断することにより光劣化を防止できる方法を見出し、本発明を完成した。【００１１】６，６’−ジブロモインジゴ及びその混合物を用いた建染染色において染色液の調整方法及び染色方法は従来の建染染料の染色液調整方法で行うことが出来る。【００１２】染色液はアルカリ性水溶液中、ハイドロサルファイト等の還元剤、６，６’−ジブロモインジゴ及びその混合物を入れ溶解させロイコ体とすることにより容易に調整し、保管することが出来る。染物の染め上がり等を考慮し、必要に応じて添加剤を加える事もできる。【００１３】染色は、各種生地を染色液に浸漬後、引き上げて空気で酸化させる、あるいは過酸化水素水に浸漬することにより容易に達せられる。【００１４】６，６’−ジブロモインジゴ及びその混合物の場合、これらの染色液調整、保管並びに染色作業を遮光することにより行い、光劣化することなく安定的に行うことが出来る。【００１５】６，６’−ジブロモインジゴのロイコ体は３００ｎｍから５００ｎｍに吸収を持つ。このロイコ体に光照射を行った後の酸化発色後の吸収波形は変化し６，６’−ジブロモインジゴ以外の吸収が見られ色調も青色であるが、同照射にて３００ｎｍから５００ｎｍの波長を遮光した場合は吸収波形の変化がなく色調も赤紫色である。【００１６】よって遮光は、３００ｎｍから５００ｎｍの光を遮光すれば良く、環境としては暗室若しくは３００ｎｍから５００ｎｍの波長の光を出さない照明器具、窓・ランプ等に３００ｎｍから５００ｎｍの光の進入を防ぐ遮光フィルムを貼り付けることに行うことができる。作業面を考慮して、好ましくはで３００ｎｍから５００ｎｍの波長の光に対する遮光照明器具、遮光フィルムを施した環境である。
【実施例】
【００１７】以下、実施例をもって本発明を更に詳細に説明する。なお、本発明はこれらによって限定されるものではない。【００１８】［実施例１］
３００ｎｍから５００ｎｍの光を遮断するフィルムで遮光した環境下で以下の調整、染色を行った。６，６’−ジブロモインジゴ０．５ｇ、ハイドロサルファイトナトリウム１０ｇ、水酸化ナトリウム８ｇを５０〜８０℃の水１ｋｇ中で溶解させることにより染色液を調整した。その後、布（シルク、木綿、麻、ウール）を浸し、引き上げた後、同環境下で空気酸化し、水で洗浄し乾燥させた。得られた染物は赤紫色であった。【００１９】［実施例２］
実施例１の遮光方法を、３００ｎｍから５００ｎｍの光を出さない遮光ランプにした以外は同様に行った。この結果、得られた染物は赤紫色であった。【００２０】［比較例１］
実施例１の染色液に１時間太陽光を当て、その間に空気酸化を受けた分を更にハイドロサルファイトナトリウム２ｇを加え還元して光照射染色液とした。この染色液を用いて、実施例１と同条件で染色を行ったとき、染物の色は赤紫色だけでなく色調変化し青色も認められた。【００２１】［比較例２］
実施例１の染色液を１２時間太陽光を当てたままにし、実施例１と同様に染色を行ったとき、染物は青色であった。本来の赤紫色は見られず、染色液の劣化によるインジゴ特有の色である青変を確認した。【００２２】［実施例３］
実施例１の還元液を１週間、完全に遮光された場所で保管した。空気酸化を受けたためにハイドロサルファイトナトリウム１０ｇを用い還元体に戻し、実施例１と同じように染色を行ったとき、染物の色は赤紫色となり青色は認められなかった。【００２３】［比較例４］
実施例１の条件において、布を染色液から引き上げた後、太陽光の下で空気酸化し、水で洗浄及び乾燥を行った。その結果、染物の色は赤紫色だけでなく色調変化による青色も認められた。
【産業上の利用可能性】
【００２４】本発明は、６，６’−ジブロモインジゴによる染色を行う際に波長３００ｍから５００ｎｍの範囲の光を遮断することにより、染色液の劣化を防ぎ、安定的な染色色調にし、安定的に染物を製造することを可能とする。
(57)【要約】      （修正有）【課題】針金と同じように紙葉の綴じ作業ができ、かつ、容易に接着して紙葉を綴じることが可能な紙葉の綴じ方法及び装置に使用される水引を提供する。【解決手段】水引本体１の表面に再湿接着剤２を塗布してある。また、本水引は、太さが０．５ｍｍ〜０．７ｍｍであって、引張強さが４０〜５０Ｎ（ニュートン）の剛度を有し、再湿接着剤が、カゼイン、アラビアゴム、でんぷん等の天然高分子又はポリビニルアルコール、ポリビニルエーテル、ポリアクリル酸の塩類等の合成高分子である。【選択図】図１
2008138324.tif 000002
【特許請求の範囲】
【請求項１】
水引本体の表面に再湿接着剤を塗布してある水引。
【請求項２】
太さが０．５ｍｍ〜０．７ｍｍであって、引張強さが４０〜５０Ｎ（ニュートン）の剛度を有する請求項１に記載の水引。
【請求項３】
再湿接着剤が、カゼイン、アラビアゴム、でんぷん等の天然高分子又はポリビニルアルコール、ポリビニルエーテル、ポリアクリル酸の塩類等の合成高分子である上記請求項１又は２に記載の水引。
【発明の詳細な説明】
【技術分野】
【０００１】
本発明は、書籍、週刊誌、カタログ等の中綴じあるいは紙綴じ方法に使用するための水引に関する。
【背景技術】
【０００２】
従来、書籍、週刊誌、カタログ等の簡易書籍綴じ方式である中綴じ方法は、針金を使用していた。この針金を使用して中綴じしていた書籍等を回収して再生する際に、針金からなる綴じ具を取り除かなければならなかった。この綴じ具を取り除く作業が必要ないように、発明者及び出願人は紙撚りを綴じ具とした紙葉の綴じ方法を開発し、既に提案して公知となっている（例えば特許文献１）。
【特許文献１】特開２００６−１１０８７３号公報
【０００３】
この既に公知となっている紙撚りを使用する綴じ方法では、紙撚りに柔軟性があるため、紙葉に開通した細孔に鉤針を通してこの鉤針に紙撚りを引っ掛けて、鉤針を引き込むことにより、紙撚りの両端部を対の細孔に挿通させている。この紙撚りの細孔への挿通作業は安定性及び確実性に欠けるという課題があった。
【発明の開示】
【発明が解決しようとする課題】
【０００４】
そこで、発明者及び出願人は、紙でできた水引を綴じ具として紙葉の通孔に対する水引の挿通作業を安定性及び確実性あるものとする新規な紙葉の綴じ方法及び装置を特願２００６−３２００６０で提案した。
本発明は、上記新規な紙葉の綴じ方法及び装置に使用される新規な水引を提供するものである。
【課題を解決するための手段】
【０００５】
そのために、本発明水引は、水引本体の表面に再湿接着剤を塗布してある。
また、本発明水引は、太さが０．５ｍｍ〜０．７ｍｍであって、引張強さが４０〜５０Ｎ（ニュートン）の剛度を有するものである。
さらに、本発明水引は、再湿接着剤が、カゼイン、アラビアゴム、でんぷん等の天然高分子又はポリビニルアルコール、ポリビニルエーテル、ポリアクリル酸の塩類等の合成高分子である。
【発明の効果】
【０００６】
本発明の水引は、水引本体の表面に再湿接着剤を塗布してあるから、水引は剛度があり、針金と同じように綴じ作業ができ、紙葉または水引を湿潤することにより、容易に接着して紙葉を綴じることができる効果がある。しかも、紙葉の再生の際、綴じ具である水引は紙であるからこれを紙葉から分離する必要がない。
【０００７】
本発明の水引は、太さが０．５ｍｍ〜０．７ｍｍであって、引張強さが４０〜５０Ｎ（ニュートン）の剛度を有するものであるから、針金と同じように紙葉の綴じ作業ができるものである。
また、本発明は、再湿接着剤が、カゼイン、アラビアゴム、でんぷん等の天然高分子又はポリビニルアルコール、ポリビニルエーテル、ポリアクリル酸の塩類等の合成高分子であるから、紙葉または水引を湿潤させて折曲げするだけで紙葉を綴じることができる。
【発明を実施するための最良の形態】
【０００８】
図面に示した実施例により本発明水引の説明をする。
図中符合１が水引本体であり、この水引本体表面に再湿接着剤２を塗布してある。水引本体１は従前から使用されている水引であり、一般的には紙幅１０〜１２ｍｍ程の薄葉紙を撚って構成したものであって、太さが０．５〜０．７ｍｍのものであり、引張強さが４０〜５０Ｎ（ニュートン）の剛度の強いものである。
【０００９】
また、再湿接着剤は、カゼイン、アラビアゴム、でんぷん等の天然高分子又はポリビニルアルコール、ポリビニルエーテル、ポリアクリル酸の塩類等の合成高分子であり、実施例では、サイデン化学株式会社のサイビノールＲＭ−３あるいはヤマト株式会社のアラビックヤマトを使用した。
【００１０】
水引本体１に再湿接着剤２を塗布する方法は、ロールコータ式又は浸漬式がある。ロールコータ式は、再湿接着剤が収納された槽に塗布ローラの一部を浸し、塗布ローラ上に水引を当ててフェルトにより挟み送り出して乾燥させるものである。
また、浸漬式は再湿接着剤が収納された槽内にローラを取り付け、水引をこのローラに案内させて再湿接着剤内を通過させ、送り出して乾燥させるものである。
【図面の簡単な説明】
【００１１】
【図１】本発明水引の拡大断面図。
【符号の説明】
【００１２】
１  水引本体
２  再湿接着剤
【図１】
2008138324.tif 000003
(57)【要約】【課題】コップ類やビン類等口径の小さい器の内面洗滌や小物類その他様々な形状物の洗滌を簡単で手軽に行える洗滌用手袋の提供。【解決手段】掌面２と各指４、５、６、７、８の外周全面若しくは一部指の全面又は一部分に多数の擦り毛３を設けて洗滌用手袋を構成する。【選択図】図１
2008138342.tif 000002
【特許請求の範囲】
【請求項１】
掌の一面及び指の全面又は一部に擦り毛を多数設けて構成した洗滌用手袋。
【発明の詳細な説明】
【技術分野】
【０００１】  本発明は、手袋の掌一面及び全指又は一部指の外面全体若しくは一部に擦り毛を多数設けた洗滌用の手袋に関する。
【背景技術】
【０００２】  手袋の掌面にスポンジを分厚く貼り付けた洗滌用手袋が公開されている。【０００３】
【特許文献１】  特開２０００−１２９５１５号公報
【発明の開示】
【発明が解決しようとする課題】
【０００４】  然しながら、コップ類やビン類等口径の小さい器の内面洗滌や小物類の洗滌には適さない欠点がある。
【課題を解決するための手段】
【０００５】  手袋の掌面と各指の全面若しくは一部指の全面又は一部分に多数の擦り毛を設ける。
【発明の効果】
【０００６】  本発明の洗滌用手袋は、その指先を挿入可能で該指先が底に届く程度の小口径瓶や湯呑など小形食器類の内部洗滌や小物洗滌がし易く非常に便利である。【０００７】  この洗滌用手袋は、様々な物の洗滌において他に刷子の類を必用としないので該手袋の着用だけで洗滌手作業が楽に行える。【０００８】  また、あらゆる洗滌対象物の洗滌に該洗い用の擦り毛が刷子効果を手先で発揮するので例えば洗車作業や擦り洗う様々な物の洗滌も手軽に行える利点がある。
【発明を実施するための最良の形態】
【０００９】  手袋の掌面と、親指人差し指中指の三指、或いは全指の外周面又は前面に適度な長さを有する洗い用の擦り毛を多数設けて手袋を構成する。【００１０】以下、本発明の実施の形態を図１に基づいて説明する。
【実施例１】
【００１１】  図１は本発明の実施例の正面図であり、１は手袋である。
手袋１は掌２の表面全体及び親指４、人差し指５、中指６、薬指７、小指８の全指外周面に擦り毛３を設ける。【００１２】  または掌２表面全体と該親指４、該人差し指５、該中指６の外周面全体又は掌２側の前面に部分的植毛を施しても良い。
【産業上の利用可能性】
【００１３】  本発明の洗滌用手袋は家庭用品洗滌用の他工業用品洗滌用など多目的に応用できる。
【図面の簡単な説明】
【００１４】
【図１】本発明の実施形態を示す正面図である。
【符号の説明】
【００１５】１  洗滌用手袋
２  掌
３  擦り毛
４  親指
５  人差し指
６  中指
７  薬指
８  小指
【図１】
2008138342.tif 000003
(57)【要約】【課題】  ドライスーツの首、手首、足首での露出部分の防水方法は、二通りあり、薄いゴム筒タイプは窮屈で脱着難と強度と耐久性に劣る欠点がある、ウエットラバー生地折り曲げタイプは、一定水圧の潜水には適しているが、流水水圧には防水が劣り、サーフィン等には不向きで普及していない。【解決手段】折り曲げ部分の外側に高収縮のシリコーンを使用する事で、折り曲げた時は肌との密着度を高め、手首等を締めつけすぎず運動機能に優れ、激しい水流水圧でも防水効果を保ち、サーフィン等での使用も可能にした。また折り曲げを戻すと肌側にシリコーン部分は外側になり脱着も容易で強度と耐久性にも優れている。【選択図】図１
2008138343.tif 000002
【特許請求の範囲】
【請求項１】
ドライスーツの首、手首、足首などの防水構造で、スーツ襟、袖、裾、先端片面に適度な幅と厚みの高収縮シリコーンを設けた構造、防水時は肌側で肌との密着により防水機能を高め、脱着時は外側にセットして脱着を容易にする事が出来る構造。
【請求項２】
前記、高収縮シリコーンは厚みのみでも防水効果は得られるが、ヒレ（図面２の▲６▼）を設ける事で、より激しい水圧にも防水機能を得られる。
【発明の詳細な説明】
【発明の詳細な説明】
【発明に属する技術分野】
【０００１】潜水やサーフィン等のウエットスーツの生地、縫い目、ファスナーを完全防水構造を設け、首、手首、足首の露出部分を極端に締め付けず運動機能を損なう事も無く、激しい水流水圧でも防水機能を保ち潜水のみならずサーフィン等の激しい水流水圧にも適し、脱着が容易で強度と耐久性にも優れたドライスーツを目指すものである
【背景技術】
【０００２】  従来のドライスーツは生地、縫い目、ファスナーは完全防水対策は出来ているが、首、手首、足首の露出部分からの防水が難点で、薄いゴム筒で各部を締め付けての防水方法と、ウエットラバー生地を折り曲げでの防水方法が普及している。
【発明が解決しようとする課題】
【０００３】  防水対策の薄いゴム筒方法は、防水の為にきつく締め付ける必要があり、脱着が困難な事と締め付けがきつく運動に適さない、また薄いゴムの強度と耐久性に難点がある。
防水対策ウエットラバー生地折り曲げ方法は、脱着は容易で運動機能にも耐久性にも優れている、しかし潜水などの一定水圧条件には効果があり普及しているが、サーフィン等の激しい水流水圧の掛かる状態には防水性能が劣り普及していない。
【課題を解決するための手段】
【０００４】  ウエットラバー生地折り曲げドライスーツの襟、袖、裾先端外側に適度な幅と厚みの高収縮のシリコーン素材を接着使用した、肌側へ折り曲げる事で締め付けすぎずに激しい水流水圧でも浸水を防ぐ密着度を得た、折り曲げを戻し高収縮シリコーンを外側にする事で脱着も容易にできる、またウエット生地への接着なので強度と耐久性にも優れている。
先端の高収縮シリコーンを内側に設け、脱着時に折り曲げて使用する事も可能である。
【発明を実施するための最良の形態】
【０００５】  図面１はドライスーツ全体図、
▲１▼防水スーツ素材、▲２▼防水ファスナー、
▲３▼ブーツ付きドライスーツ（寒冷地使用でブーツ付きやブーツ手袋付きも可能である）
図面２は手首袖先部分図、
▲４▼スーツ素材、▲５▼高収縮シリコーン、図では手首を締め付けすぎず袖のズレにもより対応出来る用に▲６▼ヒレ付き構造で示した、ヒレ部分を増やしたり、ヒレ無しで高収縮シリコーンの厚みのみでも効果あり。
図２−１脱着時  図２−２防水時
【発明の効果】
【０００６】  袖先等の防水箇所に高収縮シリコーンを使用する事で締め付けすぎずに肌との密着度を高めた、激しい水流水圧でも防水機能を保ち、一定水圧の潜水のみならずサーフィン等の激しい水流水圧にも対応できた。
袖先等先端を内側に折り曲げると、高収縮シリコーン部分が肌と密着して防水機能を保つ。
先端を延ばすと高収縮シリコーンは外側になり、一般のウエットスーツ素材が肌側で脱着が容易、ウエット生地への接着で強度と耐久性にも優れている、
暑すぎる時は、高収縮シリコーンを外側にセットしたままでウエットスーツとしても使用出来る。
【図面の簡単な説明】
【図１】  全体図
【図２】  袖先図  図２−１脱着時  図２−２防水時
【符号の説明】
▲１▼：防水スーツ素材  ▲２▼：防水ファスナー  ▲３▼：ブーツ付きドライ  ▲４▼：スーツ素材  ▲５▼：高収縮シリコーン  ▲６▼：ヒレ
【図１】
2008138343.tif 000003
【図２】
2008138343.tif 000004
(57)【要約】【課題】      襟元を開けてネクタイを緩めたり、ネクタイを取り外して鞄やポケットに入れておく・ネクタイ模様等をワイシャツに施す・衣類の襟元留め具を使うなどせずに、常に襟元をネクタイで締める状態で、クールビズ効果があり、だらしなさがなく・勤務先の信用も保てるワイシャツなどを提供すること。【解決手段】  本発明の方法においては、図２の襟元２の部分の７を折り返してネクタイ紐部４を隠し、ネクタイ結び目５に接し、ネクタイが締められた状態にする。【選択図】図３
2008138341.tif 000002
【特許請求の範囲】
【請求項１】
ネクタイ着用でも省エネ効果を発揮するため、図２の襟元２の部分の７を折り返してネクタイ紐部４を隠し、ネクタイ結び目５に接し、ネクタイ６が締められた状態にする方法。
【請求項２】
着用シャツの部分がネクタイ紐部４を隠し、ネクタイ結び目５に接し、ネクタイ６が締められた状態になるように加工され、ネクタイ着用でも省エネ効果を発揮する方法。
【請求項３】
ネクタイ着用でも省エネ効果を発揮するため、ネクタイ紐部４を隠す部分８を襟１に格納し、必要時にスライドや折り返し等により出現させる方法。
【請求項４】
ネクタイ着用でも省エネ効果を発揮するため、ネクタイ紐部４を隠す部分８をネクタイ６に付帯させる方法。
【請求項５】
ネクタイ着用でも省エネ効果を発揮するため、別の部分品にしてワイシャツやネクタイ等に接続させる方法。
【請求項６】
請求項１〜５記載の方法による製品。
【発明の詳細な説明】
【技術分野】
【０００１】  本発明は、ネクタイ着用でも省エネ効果のある方法及び製品に関する。
【背景技術】
【０００２】  近年夏場など省エネとしてワイシャツなどノーネクタイ運動が起きている。【０００３】  また、ビジネスマンなどはお得意先でネクタイを締めるためお得意先に着くまで、図２のように襟元を開けてネクタイを緩めておくか、図１のようにネクタイを取り外していた。【０００４】  その為、図２のように襟元を開けてネクタイを緩めておくと、ネクタイ紐部４が露出してだらしなく、また、周囲の人に勤務先の信用に悪影響を感じさせる。【０００５】  図１のようにネクタイを取り外して鞄やポケットに入れておく方法では、ネクタイを忘れたり、ネクタイがしわになりネクタイ着用時に支障がおきやすい。【０００６】  さらに、登録実用新案第３１１８９９６などのようにネクタイ模様等をワイシャツに施したもの、登録実用新案第３１１８７６０などのように衣類の襟元留め具等でクールビズをうたったものもある。
【特許文献１】  登録実用新案第３１１８９９６
【特許文献２】    登録実用新案第３１１８７６０
【特許文献３】  登録実用新案第３１２５２１０
【特許文献４】  登録実用新案第３１１１７５１
【特許文献５】  特許公開  ２００１−２０１０１
【発明の開示】
【発明が解決しようとする課題】
【０００７】  解決しようとする問題点は襟元を開けてネクタイを緩めたり、ネクタイを取り外して鞄やポケットに入れておく・ネクタイ模様等をワイシャツに施す・衣類の襟元留め具を使うなどせずに、常に襟元をネクタイで締める状態で、クールビズ効果があり、だらしなさがなく・勤務先の信用も保てるワイシャツなどを提供することである。
【課題を解決するための手段】
【０００８】  上記目的を達成するために、本発明の方法においては、図２の襟元２の部分の７を折り返してネクタイ紐部４を隠し、ネクタイ結び目５に接し、ネクタイ６が締められた状態にする。【０００９】  また、ネクタイ紐部４を隠す部分８は襟１に格納されており、必要時にスライドや折り返し等により出現させ、色やデザイン等も自由に決めることが出来るので新たなファッションとなり、学生用には校章などをデザインすることで服装規律が改善される。【００１０】  さらに、ネクタイ紐部４を隠す部分８はネクタイ６に附属させても、別の部分品にしてワイシャツやネクタイ等に接続させてもよい。
【発明の効果】
【００１１】  襟元を開けてネクタイを緩めたり、ネクタイを取り外して鞄やポケットに入れておく・ネクタイ模様等をワイシャツに施す・衣類の襟元留め具を使うなどせずに、常に襟元をネクタイで締めておいても、クールビズ効果があり、だらしなさがなく・勤務先の信用も保て、個性化されたファッション効果がある。【００１２】  また、襟元２の部分の７・ネクタイ紐部４を隠す部分８を元に戻すことで従来のネクタイ着用と同じ状態に出来るので、ビジネスマン等に好まれる。
【発明の実施するための最良の形態】
【００１３】  図２の襟元２の部分の７を折り返してネクタイ紐部４を隠し、ネクタイ結び目５に接し、ネクタイ６が締められた状態にする。
【実施例】
【００１４】  色をつけた図２の襟元２の部分の７を折り返してネクタイ紐部４を隠せるように加工したワイシャツを作り、色をつけた図２の襟元２の部分の７を折り返してネクタイ紐部４を隠し、ネクタイ結び目５に接し、ネクタイ６が締められた状態にして着用したところ胸元が開いておりさわやかでしかも見た目にもきっちりとした感じであり、従来のネクタイ着用方法も可能であった。
【産業上の利用可能性】
【００１５】  省エネ効果があることと、正式な場所や受付などでのネクタイ着用が従来の方法と併用して出来、しかも見た目のデザイン性にも個性化が発揮され、夏場のネクタイ需要も期待できる。
【図面の簡単な説明】
【００１６】
【図１】  ノーネクタイのワイシャツの概略図である。
【図２】  襟元を開けたワイシャツにネクタイをした概略図である。
【図３】  襟元２の部分の７を折り返してネクタイ紐部４を隠し、ネクタイ結び目５に接し、ネクタイが締められた状態の概略図である。
【符号の説明】
【００１７】      １  ワイシャツ襟
２  襟元
３  ボタン
４  ネクタイ紐部
５  ネクタイ結び目
６  ネクタイ
７  襟元２の部分
８  ネクタイ紐部４を隠す部分
【図１】
2008138341.tif 000003
【図２】
2008138341.tif 000004
【図３】
2008138341.tif 000005
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
ネクタイ着用でも省エネ効果を発揮するため、ネクタイを緩めた際に露出するネクタイ紐部を隠す部分を襟に格納し、必要時に折り返しもしくはスライドによる出現を可能としたシャツ。
【請求項２】
ネクタイ着用でも省エネ効果を発揮し、ネクタイを緩めた際に露出するネクタイ紐部を隠すために、前記ネクタイ紐部を隠す部分をシャツとは別の部分品として形成し、シャツと接続したネクタイ紐部を隠すことを可能としたシャツ。
(57)【要約】【課題】組み立て解体が簡単で、かつ破壊や火災に対して強い簡易な建築物を提供することにある。【解決手段】地上で鋼材６１を組み立てて屋根６を形成し、組み立てた屋根６を吊上げ、コンクリート製品からなる壁７の頂部に取り付ける堅牢な簡易建物５の建築方法。【選択図】図３
2008138513.tif 000002
【特許請求の範囲】
【請求項１】
地上で鋼材を組み立てて屋根を形成し、
組み立てた屋根を吊上げ、コンクリート製品からなる壁の頂部に取り付けることを特徴とする、
堅牢な簡易建物の建築方法。
【発明の詳細な説明】
【技術分野】
【０００１】
本発明は、簡易建物に関するものである。
【背景技術】
【０００２】
従来、被災地などで使用する簡易な建築物は、組立が簡単であると同時に解体、破壊も簡単である。そのため、盗難や火災などに対して弱く、重要な資材や貴重品などを収容する建物には適していない。
【発明の開示】
【発明が解決しようとする課題】
【０００３】
＜イ＞本発明は、組み立て解体が簡単で、かつ破壊や火災に対して強い簡易な建築物を提供することにある。
【課題を解決するための手段】
【０００４】
本発明は、地上で鋼材を組み立てて屋根を形成し、組み立てた屋根を吊上げ、コンクリート製品からなる壁の頂部に取り付けることを特徴とする、堅牢な簡易建物の建築方法にある。
【発明の効果】
【０００５】
本発明は、以下のような効果を得ることができます。
＜イ＞本発明は、既成のコンクリート製品を利用するので安価で、早く、しかも堅牢にできる。
＜ロ＞本発明は、コンクリート擁壁などのコンクリート製品を利用するので、壁面を堅牢にでき、重量物や骨材のストック倉庫に適している。
＜ハ＞本発明は、扉を取り付ければ、盗難や火災に対して、抵抗力のある倉庫を構築できる。
【発明を実施するための最良の形態】
【０００６】
以下、本発明の堅牢な簡易建物の実施の形態を説明する。
【実施例】
【０００７】
＜イ＞堅牢な簡易建物
堅牢な簡易建物は、鋼材を骨組みにして屋根を作り、コンクリート製品で壁を構築する。なお、コンクリート製品は、現場で打設して作られるものでなく、工場で製作されたものである。
【０００８】
建物の床や入口部のスロープは、板状や傾斜状のコンクリート製品を組み合わせて配置することにより簡単に構築できる。
【０００９】
堅牢な簡易建物は、簡易な堅牢な倉庫や、トンネル工事の吹付けプラント設備の骨材ストレージ（ストック・ヤード）などに適している。
【００１０】
＜ロ＞壁
簡易建物の壁７は、例えば図３〜図４では、コンクリート製品としてコンクリート擁壁７１で構築する。コンクリート擁壁７１を複数並べて配置することにより、建物の大きさを任意にできる。コンクリート擁壁７１の隣接部は、止金具７３で相互に連結する。建物のコーナー部は、コーナー擁壁７２で接続する。コンクリート擁壁７１は、一例としてＬ型擁壁が使用できる。
【００１１】
コンクリート擁壁７１は、盗難や火災に対して、極めて強固であり、しかも、簡単に壁７を構築することができる。
【００１２】
＜ハ＞屋根
簡易建物の屋根６は、例えば図３〜図４では、骨組みとして鋼材６１を使用する。鋼材６１として、例えばＨ鋼を使用し、ボルト６４で固定する。屋根６を壁７の上部に配置し、Ｌ字固定具６３によって壁を両側から挟むようにして、壁７と屋根６を固定する。Ｌ字固定具６３は、鋼材６１にボルト６４で固定される。鋼材６１の骨組みの上に板状体６２を取り付けて、屋根６を形成する。
【００１３】
＜ニ＞簡易建物の構築手順
地上で鋼材６１をボルト６４で固定し、屋根６の骨組みを組み立てる。骨組みの上に板状体６２を取り付ける。コンクリート擁壁７１を隣接して配置し、止金具７３で相互に連結し、壁７を構築する。壁７のコーナーは、コーナー擁壁７２を配置する。
【００１４】
組み立てられた屋根６を吊上げ、コンクリート擁壁７１の上部に配置する。Ｌ字固定具６３で壁７を両側から挟み、ボルト６４で固定し、屋根６と壁７を相互に連結する。床５１と入口のスロープ５２も既成のコンクリート製品を使用する。
【図面の簡単な説明】
【００１５】
【図１】屋根を有する混練設備の説明図
【図２】屋根を傾斜させた状態の混練設備の説明図
【図３】コンクリート製品を用いた簡易建物の説明図
【図４】簡易建物のコーナー部の説明図
【符号の説明】
【００１６】
１・・・混練設備
１１・・ベルトコンベア
１２・・傾斜台
２・・・屋根
２１・・回転支持部
２２・・固定部
２３・・綱材
３・・・混練部
３１・・滑り部
４・・・ホイールローダ
４１・・バケット
５・・・簡易建物
５１・・床
５２・・スロープ
６・・・屋根
６１・・鋼材
６２・・板状体
６３・・Ｌ字固定具
６４・・ボルト
７・・・壁
７１・・コンクリート擁壁
７２・・コーナー擁壁
７３・・止金具
【図１】
2008138513.tif 000003
【図２】
2008138513.tif 000004
【図３】
2008138513.tif 000005
【図４】
2008138513.tif 000006
(57)【要約】【課題】照明器具を取り付けるアダプタ−プラグにおいて、火災時に音によるアラ−ム警報と視覚によるＬＥＤ光源を点滅させ、緊急事態を知らせるアダプタ−プラグを提供する。【解決手段】天井１２に固着されているシ−リングロ−ゼット８に引っ掛ける栓刃５ａをアダプタ−プラグ本体１の上面に設け、前記アダプタ−プラグ本体１に煙りを感知する煙り感知センサ−部２と前記煙り感知センサ−部２と連動したアラ−ム部３及びＬＥＤ光源部４を設け、前記アダプタ−プラグ本体１の下面には、アダプタ−プラグ本体１の上面に設けてある栓刃５ａと導通している接触片と栓刃挿入穴９ｂを設けることでアダプタ−プラグ本体１を介在して照明器具本体１１も取り付けることが可能な構造である。【選択図】図１
2008004515.tif 000002
【特許請求の範囲】
【請求項１】
天井に固着されているシ−リングロ−ゼットに引っ掛ける栓刃をアダプタ−プラグ本体の上面に有し、前記アダプタ−プラグ本体に煙りを感知する煙り感知センサ−部を設け、前記煙り感知センサ−部と連動したＬＥＤ光源部を複数個に設けると共に、前記ダプタ−プラグ本体の下面に照明器具を取り付ける為の栓刃挿入穴を設けたことを特徴とするアダプタ−プラグ。
【請求項２】
前記、アダプタ−プラグは、アダプタ−プタグ本体に設けられている警報手段として、音による警報と共にＬＥＤ光源部が点滅することを特徴とする請求項１に記載のアダプタ−プラグ。
【発明の詳細な説明】
【技術分野】
【０００１】本発明は、天井に固着されているシ−リングロ−ゼットに引っ掛けるアダプタ−プラグにおいて、不測の事態における警報装置を設けると共に、前記アダプタ−プラグを介在して照明器具を取り付けることが可能なアダプタ−プラグに関する。
【背景技術】
【０００２】従来の煙りを感知する警報装置において、取付にはドライバ−等の工具が必要であった。
【発明の開示】
【発明が解決しようとする課題】
【０００３】一般家庭における従来の木造家屋において警報装置の設置は各部屋には普及されておらず、当核煙りを感知するアダプタ−プラグは天井に固着されているシ−リングロ−ゼットに引っ掛けて、さらに、前記アダプタ−プラグ本体の下面に照明器具を取り付ける栓刃挿入穴を設けることで吊り下げ用の照明器具が取付可能となる。さらに、前記アダプタ−本体には音によるアラ−ム警報と視覚によるＬＥＤ光源を使用したアダプタ−プラグを提供する。
【課題を解決するための手段】
【０００４】本発明のアダプタ−プラグは、天井に固着されているシ−リングロ−ゼットに引っ掛ける栓刃を前記アダプタ−プラグ本体の上面に有し、前記アダプタ−プラグ本体には煙りを感知するセンサ−部と前記センサ−部と連動したＬＥＤ光源部を複数個に設け、さらに前記アダプタ−プラグの上面に有する栓刃と導通した接触片を具備する栓刃挿入穴を前記アダプタ−プラグ本体の下面に設けたことを特徴とする。
【発明の効果】
【０００５】本発明によるアダプタ−プラグによれば、天井に固着されているシ−リングロ−ゼットに前記アダプタ−プラグを取り付け、さらに、前記アダプタ−プラグ本体の栓刃挿入穴に吊り下げ用照明器具のプラグを取り付けることが可能であり、天井面にシ−リングロ−ゼットが設置されている部屋において、警報装置を兼ね備えた当核アダプタ−プラグとを介在することで照明器具が容易に取り付けることが可能である。さらに、不測の事態による緊急時において音によるアラ−ムと連動したＬＥＤ光源を複数個に点滅をさせることで聴覚障害者にも知らせることができるという効果がある。
【発明を実施するための最良の形態】
【０００６】以下、本発明の実施の形態を図面を参照して説明する。
図１は、本発明の実施形態に係る分解斜視図である。アダプタ−プラグ本体１の上面に一対の栓刃５ａ及びシ−リングロ−ゼット８に対するアダプタ−プラグ本体１の取り外し方向の回動（時計方向の回動）を阻止するロック釦６及び図示しないロック爪７が設けてある。前記アダプタ−プラグ本体１の側面に煙り感知センサ−部２と煙りを感知した時に警報を鳴らすアラ−ム部３が設けられ、さらに、前記アダプタ−プラグ本体１の下面傾斜周縁部にアラ−ム部３と連動したＬＥＤ光源部４を複数個に設け、不測の事態により煙り感知センサ−部２が作動した時に、音による警報手段とＬＥＤ光源部４を光り点滅する警報手段を兼ね備えたアダプタ−プラグ本体１である。【０００７】前記、アダプタ−プラグ本体１の下面には栓刃５ａと導通した図示しない接触片を配設した栓刃挿入穴９ｂが設けてあり、照明器具本体１１に具備する引っ掛けプラグ１０の栓刃５ｂをアダプタ−プラグ本体１の栓刃挿入穴９ｂに挿嵌させて、前記照明器具本体１１を取り付ける。【０００８】図２は、アダプタ−プラグ本体１の上方向から見た斜視図である。
アダプタ−プラグ本体１の上面に一対の栓刃５ａ及びシ−リングロ−ゼット８に取付後の外し方向への回動を阻止するロック爪７及びロック釦６が設けてある。前記アダプタ−プラグ本体１の側面には煙り感知センサ−部２とアラ−ム部３が設けれている。【０００９】図３は、アダプタ−プラグ本体１の下方向から見た斜視図である。
アダプタ−プラグ本体１の下面傾斜周縁部にアラ−ム部３と連動したＬＥＤ光源部４が複数個に設けてあり、さらに、照明器具本体１１に具備する引っ掛けプラグ１０の栓刃５ｂを挿嵌させて、前記照明器具本体１１を取り付ける為の栓刃挿入穴９ｂが設けてある。【００１０】図４は、本発明の実施形態に係わる取付状態を示す斜視図である。
天井に固着されているシ−リングロ−ゼット８にアダプタ−プラグ本体１を取り付け、照明器具本体１１の引っ掛けプラグ１０を前記アダプタ−プラグ本体１へ取り付けた状態である。すなわち、煙りを感知する警報手段を有するアダプタ−本体１を介在して照明器具本体１１を取り付けることができる。
尚、不測の事態により警報装置が作動した時の作動解除は図示しないリセット釦を押すことで解除できる。【００１１】以上により、本発明のアダプタ−プラグ本体１によれば、前記アダプタ−プラグ本体１を天井１２に固着されているシ−リングロ−ゼット８へ取り付け、アダプタ−プラグ本体１を介在し、照明器具本体１１が取り付けられ、さらに、不測の事態にによる火災等で煙り感知センサ−部２が作動した場合、音による警報と視覚によるＬＥＤ光源部４を点滅させることで聴覚障害者にも確実に緊急事態を知らせることが可能である。
【図面の簡単な説明】
【００１２】
【図１】  本発明の実施形態に係わる分解斜視図。
【図２】  アダプタ−プラグ本体の上方向から見た斜視図。
【図３】  アダプタ−プラグ本体の下方向から見た斜視図。
【図４】  本発明の実施形態に係わる取付状態を示す斜視図。
【符号の説明】
【００１３】  １    アダプタ−プラグ本体
２    煙り感知センサ−部
３    アラ−ム部
４    ＬＥＤ光源部
５ａ  栓刃
５ｂ  栓刃
６    ロック釦
７    ロック爪
８    シ−リングロ−ゼット
９ａ  栓刃挿入穴
９ｂ  栓刃挿入穴
１０    引っ掛けプラグ
１１    照明器具本体
１２    天井
【図１】
2008004515.tif 000003
【図２】
2008004515.tif 000004
【図３】
2008004515.tif 000005
【図４】
2008004515.tif 000006
(57)【要約】      （修正有）【課題】  作業等に用いる照明は，比較的広範囲を一様に十分な明るさで照射する能力を備えなければならない．そのため，大電力を連続供給する必要から発電機を使用して点灯し，騒音や排ガスの問題があった．この打開策としてＬＥＤ照明が注目されつつあるが，コスト一定のもとでは明るさに限界があり，敢えて明るくすると，指向性によるむらが発生した．【解決手段】  放射角の異なるハイパワーＬＥＤを用い，距離の短いところは放射角を大きくして広範囲を明るく照らし，距離の離れたところは放射角の小さいＬＥＤで照度を確保する．この方式で多数のＬＥＤをひとつの光源板に配置することにより，異なるビームが相互に重なって明るさを増し，また相互にぶつかり合って拡散し，周囲まで光を届けることから，結果として種々の用途に応用できる一様に明るい多目的灯を実現する．【選択図】図１
2008004519.tif 000002
【特許請求の範囲】
【請求項１】
放射角の異なる２種類以上のＬＥＤ（発光ダイオード）を複数個配列し、これを光源とすることで，広範囲を一様に照射することを可能とする多目的照明装置。
【発明の詳細な説明】
【技術分野】
【０００１】  本発明は，ＬＥＤ（発光ダイオード）を光源とした照明装置の光源部分に関する．
【背景技術】
【０００２】  現在，鉄道の保線は電車等が運行していない時間帯，すなわち夜間に実施する必要がある．また，幹線道路の修復工事等も交通量が比較的少ない夜間に実施される場合が多い．このような場面では，高い照度の作業用照明が不可欠であることから，メタルハライドランプ，水銀ランプ，ハロゲンランプを光源とする作業灯を使用することが多い．【０００３】  白色ＬＥＤの高効率化が進み，これまで主に表示用として用いられてきたＬＥＤが，照明装置の発光部，すなわち光源として徐々に応用されるようになってきている．カメラ撮影用ライトや自動車の室内灯など，近距離を照らすＬＥＤ照明灯は既に実用化され，ＬＥＤのもつ省電力性と長寿命であるが故の耐久性等のメリットを活かした製品が普及しつつある．【０００４】  また，より明るいＬＥＤを求めて，ハイパワーＬＥＤと呼ばれる高輝度製品が開発され，メタルハライドランプにも匹敵する高照度を実現した効率の高いＬＥＤが，市場に出るようになってきた．
【発明が解決しようとする課題】
【０００５】  作業灯のように，広範囲を一様に明るく照射することを目的とする照明は，従来明るさとコストが問題でＬＥＤを光源とするものは未だ存在していない．
【０００６】  しかし，近年の技術の進歩による性能アップの早さと，生産者増からの価格競争の激化によってハイパワーＬＥＤの低廉化が実現し，価格対性能比，ランニングコストなどを考慮すると，ＬＥＤによる作業用照明が十分実用的と考えられる時代が到来している．
【０００７】  しかしながら，ＬＥＤを高輝度にし，明るさを追求すればするほど，そこには鋭い指向特性が現れ，スポット照明には適しても，広範囲を明るく照らす必要のある作業用照明等には不向きな発光特性となる．
【０００８】  加えて，一般に作業灯などの照明装置に求められる標準仕様は，照明を施す範囲内の全域で，均一な目的照度が得られなければならないということである．
【０００９】  そこで，ＬＥＤ発光の指向特性を減少させて広範囲を照らすことが求められるが，この場合十分な目的照度を得られないことになる．
【課題を解決するための手段】
【００１０】  ＬＥＤは発光部の直径が５ミリメートルほどの小さい点光源であり，これらを目的照度が得られるだけ光源板に並べて配置し，照明装置となす．
【００１１】本発明は，この照明装置において，放射角の異なるＬＥＤを光源板に並べて配置する．
【００１２】放射角の大きいＬＥＤ群は手前を広く照らし，放射角の小さいＬＥＤ群は遠方を明るく照らすように配置する．
【発明の効果】
【００１３】  ２種類以上の放射角を持つＬＥＤを光源板に照射方向を考慮して配置することにより，広範囲な面積で一様な照度分布を実現する．
【００１４】  角度の異なる照射光同士は重なり合い，またぶつかり合って，光の重畳現象並びに散乱現象を引き起こし，より広範囲の領域を一様に明るく照射することを実現する．
【００１５】作業等に支障がないように一定領域内を均等に明るくする場合，人影が問題とならないよう，複数の照明装置を各方向から照射させる必要がある．しかし，この発明によれば，少なくとも対面に各１台設置することで，十分な効果が得られることになる．
【発明を実施するための最良の形態】
【００１６】〔００１０〕から〔００１２〕を実現する形状として，図１のようにＬＥＤを縦横に配列させた光源板を考える．例えば，放射角が大きいＬＥＤ（例えば半値角７０度）を光源板上部に，ＬＥＤ光の中心線が光源板表面に対して法線方向を向くように配置する．また同時に，同一光源板の下部には放射角が小さいＬＥＤ（例えば半値角３５度）を，同様にＬＥＤ光の中心線が光源板表面に対して法線方向を向くように配置する．【００１７】このように図１に示した光源板を持つ作業用照明灯を，作業場所を照射するように設置した場合，１台の照明灯によって図２のように一様な照射光が作業面を照らすこととなる．
【産業上の利用可能性】
【００１８】  ＬＥＤ照明を作業灯として利用すれば，省電力で耐久性があり環境にやさしい利点を活かして現在かかえる様々な課題を解決することができる．【００１９】［００１８］で述べた一つ目の省電力性は，作業のあいだ中バッテリーで十分点灯可能であることを示し，騒音が発生しては困るような住宅地等においても夜間作業が容易に行なえるようになる．【００２０】またバッテリー稼働できる利点は［００１９］に止まらず，トンネル内や通気性の悪い場所での作業では，発電機などを用いる必要がないため大気汚染の心配がなく，作業効率が格段に上昇することとなる．【００２１】さらに，どこへでも移動でき，集会やスポーツ，祭りやイベントなど，夜間の様々な行事に多目的に使用することが考えられる．【００２２】またＬＥＤは気圧や温度の変化にも強く，寿命が長いことから，メンテナンスコストも削減でき，引いては地球環境にやさしい製品となるため，産業上の利用可能性を否定するところは何一つ無いと言える．
【図面の簡単な説明】
【００２３】
【図１】ＬＥＤ照明多目的装置の光源板の配列例
【図２】ＬＥＤ照明多目的装置の照射例
【符号の説明】
【００２４】    １  ＬＥＤ照明多目的装置の光源板
２  放射角の小さいＬＥＤ群の配列
３  放射角の大きいＬＥＤ群の配列
４  光源板支え軸受け金具
５  光源板支え軸
６  ＬＥＤ照明多目的装置の光源板
７  光源板支え軸
８  光源板支え台
９  放射角の小さいＬＥＤ群から照射される光
１０  放射角の大きいＬＥＤ群から照射される光
【図１】
2008004519.tif 000003
【図２】
2008004519.tif 000004
(57)【要約】      （修正有）【課題】ＺｎＯ系透明導電膜のエッチング速度を、パターニングに適した速度に制御することを課題とする。【解決手段】  基板上にＺｎＯにＭｇが添加された透明導電膜を形成する工程と、ＨＣｌを含むエッチング液を用いて上記透明導電膜をパターンニングする工程とを含む透明電極の形成方法により解決される。上記透明導電膜には、さらにＡｌ、Ｂ、Ｇａから選定された１種又は２種以上が添加されている。本発明によれば、ＺｎＯ系透明電極のエッチング速度を遅くすることが可能になり、それによりパターニングの際の制御性の向上が図れるという効果がある。【選択図】図２
2008004405.tif 000002
【特許請求の範囲】
【請求項１】
基板上にＺｎＯにＭｇが添加された透明導電膜を形成する工程と、ＨＣｌを含むエッチング液を用いて上記透明導電膜をパターンニングする工程とを含む透明電極の形成方法。
【請求項２】
上記透明導電膜には、さらにＡｌ、Ｂ、Ｇａから選定された１種又は２種以上が添加されていることを特徴とする請求項１記載の透明電極の形成方法。
【発明の詳細な説明】
【技術分野】
【０００１】
本発明は、透明電極の形成方法、特にＺｎＯ系透明電極の形成方法に関する。
【背景技術】
【０００２】
現在、フラットパネルディスプレイ、太陽電池などでは透明導電膜（電極）材料として酸化インジウムに少量のスズを混合したＩＴＯが用いられている。しかし、その主要構成元素であるインジウムは希少金属で高価であり、フラットパネルディスプレイ市場の拡大に伴うＩＴＯの大量使用によりその枯渇が心配されている。さらに投機の対象ともなって価格が不安定であり、産業的にも、その代替材料が望まれているところである。
【０００３】
ＺｎＯ系透明導電膜は、ＩＴＯ代替材料として注目されている。ところがＩＴＯは、パターニングを行う際に、塩酸などによるエッチング液に対して、エッチングレートが早すぎて、プロセス制御が困難であるという問題点があった。
【０００４】
塩酸などによるエッチング液に対して、ＺｎＯのエッチングレートを遅くする方法として、インジウムを加える方法が非特許文献１に開示されている。しかしこの方法では、インジウムを利用しているため、ＩＴＯの場合と同様に価格や枯渇の問題を解決することはできない。
【非特許文献１】Thin Solid Films,290-291, pp.1-5 (1996).
【発明の開示】
【発明が解決しようとする課題】
【０００５】
本発明は、ＺｎＯ系透明導電膜のエッチング速度を、パターニングに適した速度に制御することを課題とする。
【課題を解決するための手段】
【０００６】
上記課題は次のような手段により解決される。
（１）基板上にＺｎＯにＭｇが添加された透明導電膜を形成する工程と、ＨＣｌを含むエッチング液を用いて上記透明導電膜をパターンニングする工程とを含む透明電極の形成方法。
（２）上記透明導電膜には、さらにＡｌ、Ｂ、Ｇａから選定された１種又は２種以上が添加されている透明電極の形成方法。
【発明の効果】
【０００７】
本発明によれば、ＺｎＯ系透明電極のエッチング速度を遅くすることが可能になり、それによりパターニングの際の制御性の向上が図れるという効果がある。
【発明を実施するための最良の形態】
【０００８】
以下、実施例に基づいて本発明を詳細に説明する。
スパッタリング、パルスレーザ堆積法、ＭＯＣＶＤ法、反応性プラズマ堆積法などの方法を用いて、デバイスが形成された半導体基板、セラミック等の絶縁基板等の基板上にＺｎＯ系透明電極を作製する。
基板上にＺｎＯ系透明電極が作製された模式図を図1に示す。ここでは、ガラス基板上にスパッタリング法で成膜した場合を例に説明する。
【０００９】
ガラス基板上に、ＺｎＯとＭｇＯとＡｌ２Ｏ３のターゲットを同時にスパッタリングし、それらの間の堆積速度を制御することでＺｎ：Ｍｇの比を制御する。Ａｌは導電性を追加するためのドーパントであり、必要に応じて例えば１〜３at％程度添加する。
【００１０】
本発明では、ＺｎＯとＭｇＯとＡｌ２Ｏ３のターゲットを用い、それらに印加する電力の比を制御することで、Ｍｇ濃度０、０．０９、０．１５、０．３２の膜を作製した。上記ＺｎＭｇＯ付ガラス基板を、塩酸（３５〜３７％）を約５０倍に薄めたエッチング液に２０秒間浸し、エッチングされた膜厚からエッチング速度を求めた。
【００１１】
図２にその結果を示す。図２より、Ｍｇを１０〜３０％程度混合することでエッチング速度を約１／４程度にすることができることがわかり、パターニングの際の制御性の向上が図れることになる。なおＭｇ濃度が３５％を超えるとＺｎＯ系透明電極の導電率の低下が問題となり、実用的ではない。
【００１２】
本発明では、ＺｎＯとＭｇＯとＡｌ２Ｏ３のターゲットを用いそれらに印加する電力の比を制御することで、ＺｎＯにＭｇが添加された透明導電膜を作製したが、ＺｎＯ、ＭｇＯ、Ａｌ２Ｏ３を事前に混合したターゲットを用いてスパッタする方法で作製してもよい。
またＡｌは導電性を追加するために必要に応じて添加されるドーパントであり、本発明の実施に際し必須のものではない。なお導電性を追加するために、Ａｌに代えて、又はＡｌとともにＢ、Ｇａを添加してもよい。
【図面の簡単な説明】
【００１３】
【図１】ZnO系透明電極を形成した基板の図である。
【図２】Mgを混合したZnOのエッチング速度とMg濃度の関係を表す図である。
【符号の説明】
【００１４】
１  ZnO系透明電極
２  基板
【図１】
2008004405.tif 000003
【図２】
2008004405.tif 000004